(57)【特許請求の範囲】
【請求項１】
外部から電力を受電する１あるいは複数の受電手段と、該受電手段が受電した電力の一部あるいは全部を外部に給電する１あるいは複数の給電手段とを備える可搬自在な複数の電力受容体と、
何れかの前記電力受容体の前記受電手段に電力を給電する地上給電装置と
を具備し、
前記電力受容体は発電手段を備え、
前記電力受容体は、前記受電手段または前記発電手段からの電力が内部消費よりも低い場合には、前記受電手段または前記発電手段からの電力を、内部消費に供さずに前記給電手段を介して外部に給電する
ことを特徴とする給電システム。
【請求項２】
前記電力受容体は、前記受電手段または前記発電手段からの電力が内部消費よりも高い場合には、前記受電手段または前記発電手段からの電力を内部消費に供することを特徴とする請求項１に記載の給電システム。
【請求項３】
前記電力受容体は、前記受電手段および前記発電手段のいずれからの電力も内部消費よりも高い場合には、前記発電手段からの電力を内部消費に供することを特徴とする請求項１または２に記載の給電システム。
【請求項４】
前記受電手段、前記給電手段及び前記地上給電装置は、非接触で電力を受電あるいは給電することを特徴とする請求項１〜３のいずれか一項に記載の給電システム。
【請求項５】
前記受電手段は受電コイルを、また前記給電手段及び前記地上給電装置は給電コイルをそれぞれ備え、
前記受電手段、前記給電手段及び前記地上給電装置は、前記受電コイルと前記給電コイルとの電磁気的結合によって電力を非接触で受給電することを特徴とする請求項４に記載の給電システム。
【請求項６】
前記電力受容体の断面は矩形状であり、平行に対向する一方の面に前記受電手段が設けられ、かつ、他方の面に前記給電手段が設けられることを特徴とする請求項１〜５のいずれか一項に記載の給電システム。
【請求項７】
前記電力受容体の断面は矩形状であり、平行に対向する両方の面に前記受電手段及び前記給電手段が設けられることを特徴とする請求項１〜５のいずれか一項に記載の給電システム。
【請求項８】
前記受電手段及び前記給電手段に代えて、電力の受電と給電とを切換えて行う受給電手段を複数備えることを特徴とする請求項１〜７のいずれか一項に記載の給電システム。
【請求項９】
外部から電力を非接触で受電する１あるいは複数の受電手段と、該受電手段が受電した電力の一部あるいは全部を外部に非接触で給電する１あるいは複数の給電手段と、発電手段とを可搬自在な複数の電力受容体に設け、
ある電力受容体の受電手段と他の電力受容体の給電手段とが対向するように各電力受容体を配置した状態で何れかの電力受容体の前記受電手段に地上給電装置から電力を給電し、
ある電力受容体の前記受電手段または前記発電手段からの電力が内部消費よりも低い場合には、前記受電手段または前記発電手段からの電力を、内部消費に供さずに前記給電手段を介して外部に給電する
ことを特徴とする非接触給電方法。
【発明の詳細な説明】
【技術分野】
【０００１】
本発明は、給電システム及び非接触給電方法に関する。
【背景技術】
【０００２】
下記特許文献１には、冷凍設備を有するリーファーコンテナ（以下コンテナと称す。）に短時間かつ簡易に給電することができる給電装置が開示されている。この給電装置は、上下左右に積み重ねられた複数のコンテナの各々について個別に設けられた給電設備を用いて受電設備である各コンテナに非接触給電する。すなわち、この給電装置は、給電設備が電力を給電する１次コイルと該１次コイルを移動する移動機構とから構成されており、上記１次コイルをコンテナに設けられた２次コイル（受電コイル）に対向位置させることによりコンテナに非接触給電を行う。
【先行技術文献】
【特許文献】
【０００３】
【特許文献１】特開２０１１−２０５７８０号公報
【発明の概要】
【発明が解決しようとする課題】
【０００４】
ところで、上記従来技術では、給電設備を各コンテナに対して個別に設けるので、つまり各コンテナ毎に当該各コンテナに給電設備を設ける必要があるので、比較的広い給電設備の設置スペースを占有する。この結果として、一度に収容できるコンテナの数が減ってしまい、スペースの利用効率が低下してしまうという問題があった。
【０００５】
本発明は、上述した事情に鑑みてなされたものであり、スペース効率良く複数の電力受容体に給電することを目的とする。
【課題を解決するための手段】
【０００６】
上記目的を達成するために、本発明では、第１の解決手段として、外部から電力を受電する１あるいは複数の受電手段と、該受電手段が受電した電力の一部あるいは全部を外部に給電する１あるいは複数の給電手段とを備える可搬自在な複数の電力受容体と、何れかの電力受容体の受電手段に電力を給電する地上給電装置とを具備する、という手段を採用する。
【０００７】
本発明では、第２の解決手段として、上記第１の解決手段において、電力受容体は発電手段を備え、給電手段を介して発電手段が発生した電力を外部に給電する、という手段を採用する。
【０００８】
本発明では、第３の解決手段として、上記第１または第２の解決手段において、電力受容体は、受電手段または発電手段からの電力が内部消費よりも高い場合には、受電手段または発電手段からの電力を内部消費に供する、という手段を採用する。
【０００９】
本発明では、第４の解決手段として、上記第１〜第３のいずれか１つの解決手段において、受電手段、給電手段及び地上給電装置は非接触で電力を受電あるいは給電する、という手段を採用する。
【００１０】
本発明では、第５の解決手段として、上記第４の解決手段において、受電手段は受電コイルを、また給電手段及び地上給電装置は給電コイルをそれぞれ備え、受電手段、給電手段及び地上給電装置は受電コイルと給電コイルとの電磁気的結合によって電力を非接触で受給電する、という手段を採用する。
【００１１】
本発明では、第６の解決手段として、上記第１〜第５のいずれか１つの解決手段において、電力受容体の断面は矩形状であり、平行に対向する一方の面に受電手段が設けられ、かつ、他方の面に給電手段が設けられる、という手段を採用する。
【００１２】
本発明では、第７の解決手段として、上記第１〜第５のいずれか１つの解決手段において、電力受容体の断面は矩形状であり、平行に対向する両方の面に受電手段及び給電手段が設けられる、という手段を採用する。
【００１３】
本発明では、第８の解決手段として、上記第１〜第７のいずれか１つの解決手段において、受電手段及び給電手段に代えて、電力の受電と給電とを切換えて行う受給電手段を複数備える、という手段を採用する。
【００１４】
また、本発明では、非接触給電方法に係る解決手段として、外部から電力を非接触で受電する１あるいは複数の受電手段と、該受電手段が受電した電力の一部あるいは全部を外部に非接触で給電する１あるいは複数の給電手段とを可搬自在な複数の電力受容体に設け、ある電力受容体の受電手段と他の電力受容体の給電手段とが対向するように各電力受容体を配置した状態で何れかの電力受容体の前記受電手段に地上給電装置から電力を非接触で給電する、という手段を採用する。
【発明の効果】
【００１５】
本発明によれば、可搬自在な複数の電力受容体が外部から電力を受電する受電手段と該受電手段が受電した電力の一部あるいは全部を外部に給電する給電手段とを１あるいは複数備えるので、例えばある電力受容体の受電手段と他の電力受容体の給電手段とが対向するように各電力受容体を配置することにより、１つの地上給電装置から複数の電力受容体に電力を並行して供給することが可能である。したがって、本発明によれば、電力受容体に電力を供給する際の付帯設備である地上給電装置の規模を小さくすることが可能であり、スペース効率良く複数の電力受容体に給電することが可能である。
【図面の簡単な説明】
【００１６】
【図１】本発明の第１実施形態に係る給電システムＡの構成を示す上面図である。
【図２】本発明の第１実施形態におけるコンテナａ１〜ａｎの展開図である。
【図３】本発明の第２実施形態に係る給電システムＢの構成を示す正面図である。
【図４】本発明の第２実施形態に係るコンテナｂ１〜ｂｎの構成を示す正面図である。
【図５】本発明の第２実施形態におけるコンテナｂ１〜ｂｎの展開図である。
【図６】本発明の第３実施形態に係る給電システムＣの構成を示す上面図である。
【発明を実施するための形態】
【００１７】
以下、図面を参照して、本発明の実施形態について説明する。
〔第１実施形態〕                
初めに第１実施形態について説明する。本第１実施形態に係る給電システムＡは、図１に示すように、複数のコンテナａ１〜ａｎ（電力受容体）及び地上給電装置ｓ１を備えている。このような給電システムＡは、非接触給電方式の１つである磁界共鳴方式に基づいてコンテナａ１〜ａｎに電力を供給（給電）することを可能にするシステムであり、また地上給電装置ｓ１からコンテナａ１への給電のみならず、コンテナａ１〜ａｎが互いに隣接して配置されているので当該コンテナａ１〜ａｎ間での給電が可能である。
【００１８】
各コンテナａ１〜ａｎは、可搬自在な箱型形状（断面が矩形状）の金属製収納容器であり、内部空間（収納スペース）に各種貨物を収納すると共にトラックやコンテナ船等の輸送手段によって移送される。このような各コンテナａ１〜ａｎは、図１に示すように、上方から見た場合の形状が長方形であり、長辺を含む左側面と右側面とが互いに隣接するようにコンテナヤードやコンテナ船上に載置される。このような各コンテナａ１〜ａｎは、全く同じ構成を有するので、以下では代表としてコンテナａ１の構成を説明する。
【００１９】
コンテナａ１は、上記収納スペースに加えて、受電コイル１ａ、受電回路１ｂ、給電コイル１ｃ、給電回路１ｄ、直流バス１ｅ及び負荷１ｆを備える。なお、上記構成要素のうち受電コイル１ａ及び受電回路１ｂは、本実施形態における受電手段を構成する。また、給電コイル１ｃ及び給電回路１ｄは、本実施形態における給電手段を構成する。
【００２０】
受電コイル１ａは、コンテナａ１の左側面に設けられたヘリカルコイルであり、両端が受電回路１ｂの入力端に接続されている。コンテナａ１の左側面において受電コイル１ａが設けられる部位は、金属ではなく外部磁界が受電コイル１ａに電磁誘導を発生させ得る材料（磁界透過性材料）によって形成されている。この受電コイル１ａは、コンテナａ１に外部磁界が作用すると電磁誘導によって起電力を発生し、当該起電力を受電回路１ｂに出力する。なお、上記磁界透過性材料は、プラスチックやＦＲＰ（Fiber Reinforced Plastics：繊維強化プラスチック）等である。
【００２１】
受電回路１ｂは、上記受電コイル１ａと受電側共振回路を構成する共振用コンデンサを備え、受電コイル１ａから供給された交流電力を直流電力に変換する一種の整流回路である。この受電回路１ｂは、直流バス１ｅを介して上記直流電力を給電回路１ｄ及び負荷１ｆに供給する。
【００２２】
給電コイル１ｃは、コンテナａ１の右側面に設けられたヘリカルコイルであり、両端が給電回路１ｄの出力端に接続されている。コンテナａ１の右側面において給電コイル１ｃが設けられる部位は、金属ではなく給電コイル１ｃが発生する磁界を外部に漏らし得る材料（磁界透過性材料）によって形成されている。なお、上記磁界透過性材料は、プラスチックやＦＲＰ：繊維強化プラスチック）等である。
【００２３】
給電回路１ｄは、上記給電コイル１ｃと給電側共振回路を構成する共振用コンデンサを備え、直流バス１ｅを介して上記受電回路１ｂから供給された直流電力を交流電力に変換して給電コイル１ｃに供給する。このような給電回路１ｄは一種のインバータである。なお、上記受電側共振回路の共振周波数と給電側共振回路の共振周波数とは同一周波数に設定されている。
【００２４】
ここで、受電コイル１ａと給電コイル１ｃは、図２に示すように左側面あるいは右側面において、上面から見て線対称（図１において左右対称）な位置に設けられている。また、コンテナａ１の底面（上面）からの受電コイル１ａの高さは、コンテナａ１の底面（上面）からの給電コイル１ｃの高さと同一である。
【００２５】
直流バス１ｅは、受電回路１ｂから出力された直流電力を給電回路１ｄ及び負荷１ｆに伝送する一対の電力線である。負荷１ｆは、コンテナａ１の種類（補助機能）にも依るが、例えば冷凍装置、通風装置、保温装置または冷房装置であり、受電回路１ｂから供給される直流電力によって駆動する。すなわち、コンテナａ１は、冷凍装置によって生鮮食品及び冷凍食品等を冷凍した状態で収納するリーファーコンテナ（冷凍コンテナ）、通風装置（ベンチレーター）によって内部空気が常に換気されるベンチレーターコンテナ（通風コンテナ）等である。なお、負荷１ｆとしては、余剰電力を充電する蓄電池であってもよい。
【００２６】
このようなコンテナａ１では、受電回路１ｂから出力される直流電力のうち、負荷１ｆが消費する電力を差し引いたものが給電回路１ｄに供給される。したがって、負荷１ｆが機能停止している状態では電力を消費しないので、受電回路１ｂから出力される直流電力の全てが給電回路１ｄに供給される。すなわち、コンテナａ１では、負荷１ｆの状態に応じて、受電回路１ｂから出力される直流電力の一部あるいは全部が給電回路１ｄに供給される。
【００２７】
このように構成された各コンテナａ１〜ａｎは、図１に示すように、長辺を含む左側面と右側面とが互いに隣接するように載置されており、よって互いに隣り合うコンテナ同士の受電コイル１ａと給電コイル１ｃとが互いに対向する状態となる。すなわち、互いに隣り合うコンテナ同士の受電コイル１ａと給電コイル１ｃとは電磁誘導によって互いに電力を受給電する。
【００２８】
一方、地上給電装置ｓ１は、図１に示すように、整流回路２ａ、給電回路２ｂ及び給電コイル２ｃを備える。給電コイル２ｃは、上記コンテナａ１の受電コイル１ａに対向する位置に設けられている。地上給電装置ｓ１は、このように位置設定された給電コイル２ｃを用いることにより、コンテナａ１の受電コイル１ａに対して非接触で電力を供給する。
【００２９】
整流回路２ａは、外部電源（商用電源または発電機）から供給される交流電力（３相交流電力）を整流して直流電力に変換して給電回路２ｂに出力する。給電回路２ｂは、給電コイル２ｃと給電側共振回路を構成する共振用コンデンサを備え、整流回路２ａから入力された直流電力を交流電力に変換して給電コイル１ｃに供給する。このような給電回路２ｂは一種のインバータである。
【００３０】
なお、外部電源として燃料電池や太陽電池や二次電池などの直流電源を使用する場合には、整流回路を省略することが可能である。
【００３１】
このような地上給電装置ｓ１における給電側共振回路の共振周波数は、コンテナａ１における上記受電側共振回路及び給電側共振回路の共振周波数と同一周波数に設定されている。また、地上給電装置ｓ１における給電コイル２ｃ並びにコンテナａ１における受電コイル１ａ及び給電コイル１ｃの各コイル径は同一に設定されている。
【００３２】
次に、このように構成された本給電システムＡの動作について詳しく説明する。
本給電システムＡでは、図１に示すような各コンテナａ１〜ａｎの配置状態において、地上給電装置ｓ１から当該地上給電装置ｓ１に隣接するコンテナａ１へ給電が開始される。すなわち、地上給電装置ｓ１は、整流回路２ａが外部電源から得た交流電力を直流電力に変換して給電回路２ｂに出力し、当該給電回路２ｂが直流電力を交流電力に変換して給電コイル２ｃに供給する。この結果、地上給電装置ｓ１における給電コイル２ｃと、コンテナａ１の受電コイル１ａとが電磁気的に結合して電力の非接触伝送が行われる。
【００３３】
これに対して、コンテナａ１は、受電コイル１ａが地上給電装置ｓ１から受電した交流電力を受電回路１ｂに出力して直流電力に変換し、直流バス１ｅを介して給電回路１ｄ及び負荷１ｆに出力する。また、給電回路１ｄは、直流バス１ｅを介して入力された直流電力を交流電力に変換して給電コイル１ｃに供給する。この結果、コンテナａ１の給電コイル１ｃは、コンテナａ２の受電コイル１ａと電磁気的に結合してコンテナａ２の受電コイル１ａに交流電力を非接触給電する。
【００３４】
そして、他のコンテナａ２〜ａｎ−１も上記コンテナａ１と同様に作動して自らの右側に位置するコンテナａ３〜ａｎに交流電力を非接触給電する。すなわち、図１に示すように、地上給電装置ｓ１から複数のコンテナａ１〜ａｎに電力が一方向（左から右方向）に順次供給される。
【００３５】
このような本第１実施形態によれば、複数のコンテナａ１〜ａｎが受電コイル１ａと給電コイル１ｃとにより相互に電磁気的に結合されているので、地上給電装置ｓ１により末端のコンテナａ１の受電コイル１ａに交流電力を供給することによって複数のコンテナａ１〜ａｎ全てに交流電力を供給することが可能である。したがって、本第１実施形態によれば、複数のコンテナａ１〜ａｎの各々に個別に地上給電装置ｓ１を設置する必要がなく、よって地上給電装置を設置するスペースを従来よりも省スペース化しつつ各コンテナａ１〜ａｎに給電することが可能である。
【００３６】
〔第２実施形態〕
次に、第２実施形態について図３、図４及び図５を参照して説明する。
第２実施形態に係る給電システムＢは、コンテナｂ１〜ｂｎ各々の構成及び地上給電装置ｓ２の形態が、上記第１実施形態と相違する。このような給電システムＢは、図３に示すように、複数のコンテナｂ１〜ｂｎ（電力受容体）及び地上給電装置ｓ２を備えている。
【００３７】
コンテナｂ１〜ｂｎは、上記第１実施形態と同様に、可搬自在な箱型形状の金属製収納容器であり、内部空間（収納スペース）に各種貨物を収納する。このような各コンテナｂ１〜ｂ１は、図３に示すように、正面から見た場合の形状が長方形であり、短辺を含む上面と底面とが互いに隣接するようにコンテナヤードやコンテナ船上に積み重ねられて載置される。このような各コンテナｂ１〜ｂ１は、全く同じ構成を有するので、以下では代表としてコンテナｂ１の構成を説明する。
【００３８】
コンテナｂ１は、上記収納スペースに加えて、図４に示すように、第１の受電コイル３ａ、第１の受電回路３ｂ、第１の給電コイル３ｃ、第１の給電回路３ｄ、太陽電池パネル３ｅ（発電手段）、第１の直流バス３ｆ、第２の受電コイル３ｇ、第２の受電回路３ｈ、第２の給電コイル３ｉ、第２の給電回路３ｊ、第２の直流バス３ｋ、第１の電圧センサ３ｌ、第２の電圧センサ３ｍ、切替器３ｎ及び負荷３ｏを備える。
【００３９】
なお、上記構成要素のうち第１の受電コイル３ａ及び第１の受電回路３ｂと、第２の受電コイル３ｇ及び第２の受電回路３ｈとは、それぞれ本実施形態における受電手段を構成する。また、第１の給電コイル３ｃ及び第１の給電回路３ｄと、第２の給電コイル３ｉ及び第２の給電回路３ｊとは、それぞれ本実施形態における給電手段を構成する。
【００４０】
第１の受電コイル３ａは、コンテナｂ１の上面に設けられたヘリカルコイルであり、両端が第１の受電回路３ｂの入力端に接続されている。コンテナｂ１の上面において第１の受電コイル３ａが設けられる部位は、金属ではなく外部磁界が第１の受電コイル３ａに電磁誘導を発生させ得る磁界透過性材料によって形成されている。この第１の受電コイル３ａは、コンテナｂ１に外部磁界が作用すると電磁誘導によって起電力を発生し、当該起電力を第１の受電回路３ｂに出力する。
【００４１】
第１の受電回路３ｂは、上記第１の受電コイル３ａと受電側共振回路を構成する共振用コンデンサを備え、第１の受電コイル３ａから供給された交流電力を直流電力に変換する一種の整流回路である。この第１の受電回路３ｂは、第１の直流バス３ｆを介して上記直流電力を第１の給電回路３ｄ及び切替器３ｎに供給する。
【００４２】
第１の給電コイル３ｃは、コンテナｂ１の底面に設けられたヘリカルコイルであり、両端が第１の給電回路３ｄの出力端に接続されている。コンテナｂ１の底面において第１の給電コイル３ｃが設けられる部位は、金属ではなく第１の給電コイル３ｃが発生する磁界を外部に漏らし得る磁界透過性材料によって形成されている。
【００４３】
第１の給電回路３ｄは、上記第１の給電コイル３ｃと給電側共振回路を構成する共振用コンデンサを備え、第１の直流バス３ｆを介して上記第１の受電回路３ｂから供給された直流電力を交流電力に変換して第１の給電コイル３ｃに供給する。このような第１の給電回路３ｄは一種のインバータである。なお、第１の受電コイル３ａと第１の受電回路３ｂとからなる受電側共振回路の共振周波数と、第１の給電コイル３ｃと第１の給電回路３ｄからなる給電側共振回路の共振周波数とは同一周波数に設定されている。
【００４４】
ここで、第１の受電コイル３ａと第１の給電コイル３ｃは、図５に示すように上面あるいは底面において、左側面から見て上下対称な位置に設けられている。また、コンテナｂ１の正面からの第１の受電コイル３ａの距離は、コンテナｂ１の正面からの第１の給電コイル３ｃの距離と同一である。
【００４５】
太陽電池パネル３ｅは、コンテナｂ１の上面において第１の受電コイル３ａ及び後述する第２の給電コイル３ｉが正面側に設けられるのに対して背面（正面の対向面）側に設けられ、例えば単結晶シリコン型の太陽電池（セル）を複数枚直並列接続してなるパネルを備え、光起電力効果によって太陽光エネルギーを電力に変換することで発電する。このような太陽電池パネル３ｅは、第１の直流バス３ｆを介して直流電力を第１の給電回路３ｄ及び切替器３ｎに出力する。
第１の直流バス３ｆは、第１の受電回路３ｂ及び太陽電池パネル３ｅから出力された直流電力を第１の給電回路３ｄ及び切替器３ｎに伝送する一対の電力線である。
【００４６】
第２の受電コイル３ｇは、コンテナｂ１の底面に設けられたヘリカルコイルであり、両端が第２の受電回路３ｈの入力端に接続されている。コンテナｂ１の底面において第２の受電コイル３ｇが設けられる部位は、金属ではなく外部磁界が第２の受電コイル３ｇに電磁誘導を発生させ得る磁界透過性材料によって形成されている。この第２の受電コイル３ｇは、コンテナｂ１に外部磁界が作用すると電磁誘導によって起電力を発生し、当該起電力を第２の受電回路３ｈに出力する。
【００４７】
第２の受電回路３ｈは、上記第２の受電コイル３ｇと受電側共振回路を構成する共振用コンデンサを備え、第２の受電コイル３ｇから供給された交流電力を直流電力に変換する一種の整流回路である。この第２の受電回路３ｈは、第２の直流バス３ｋを介して上記直流電力を第２の給電回路３ｊ及び切替器３ｎに供給する。
【００４８】
第２の給電コイル３ｉは、コンテナｂ１の上面に設けられたヘリカルコイルであり、両端が第２の給電回路３ｊの出力端に接続されている。コンテナｂ１の上面において第２の給電コイル３ｉが設けられる部位は、金属ではなく第２の給電コイル３ｉが発生する磁界を外部に漏らし得る磁界透過性材料によって形成されている。
【００４９】
第２の給電回路３ｊは、上記第２の給電コイル３ｉと給電側共振回路を構成する共振用コンデンサを備え、第２の直流バス３ｋを介して上記第２の受電回路３ｈから供給された直流電力を交流電力に変換して第２の給電コイル３ｉに供給する。このような第２の給電回路３ｊは一種のインバータである。なお、第２の受電コイル３ｇと第２の受電回路３ｈとからなる受電側共振回路の共振周波数と、第２の給電コイル３ｉと第２の給電回路３ｊからなる給電側共振回路の共振周波数とは同一周波数に設定されている。
【００５０】
なお、同一周波数に設定されている、第１の受電コイル３ａと第１の受電回路３ｂとからなる受電側共振回路の共振周波数および第１の給電コイル３ｃと第１の給電回路３ｄからなる給電側共振回路の共振周波数を第１共振周波数と呼び、同一周波数に設定されている第２の受電コイル３ｇと第２の受電回路３ｈとからなる受電側共振回路の共振周波数および第２の給電コイル３ｉと第２の給電回路３ｊからなる給電側共振回路の共振周波数を第２共振周波数と呼ぶことにすれば、第１共振周波数と第２共振周波数とは、同じであってもよいし、異なっていてもよい。
【００５１】
ここで、第２の受電コイル３ｇと第２の給電コイル３ｉは、図５に示すように上面あるいは底面において、右側面から見て上下対称な位置に設けられている。また、コンテナｂ１の正面からの第２の受電コイル３ｇの距離は、コンテナｂ１の正面からの第２の給電コイル３ｉの距離と同一である。
【００５２】
第２の直流バス３ｋは、第２の受電回路３ｈから出力された直流電力を第２の給電回路３ｊ及び切替器３ｎに伝送する一対の電力線である。
第１の電圧センサ３ｌは、第１の直流バス３ｆの電圧を検出するセンサであり、電圧を示す電圧信号を切替器３ｎに出力する。
第２の電圧センサ３ｍは、第２の直流バス３ｋの電圧を検出するセンサであり、電圧を示す電圧信号を切替器３ｎに出力する。
切替器３ｎは、第１の電圧センサ３ｌ及び第２の電圧センサ３ｍから入力される電圧信号に基づいて負荷３ｏに対する電力の供給路を切り替える。つまり、切替器３ｎは、負荷３ｏに対する電力の供給路として第１の直流バス３ｆ及び第２の直流バス３ｋのいずれかに選択的に切り替えて負荷３ｏに電力を供給するようにする。切替器３ｎは、たとえば、電力の供給路を切り替える手段としてコンタクタないしＦＥＴ（Field Effect Transistor）を利用した電子スイッチを使用し、電圧信号に基づいた判断を行うためにコンパレータを含むアナログ回路ないしＡ／Ｄコンバータとマイクロプロセッサと処理プログラムの組み合わせで実現することができる。
【００５３】
負荷３ｏは、コンテナｂ１の種類（補助機能）にも依るが、例えば冷凍装置、通風装置、保温装置または冷房装置であり、切替器３ｎを介して第１の直流バス３ｆあるいは第２の直流バス３ｋから供給される直流電力によって駆動する。すなわち、コンテナｂ１は、冷凍装置によって生鮮食品及び冷凍食品等を冷凍した状態で収納するリーファーコンテナ（冷凍コンテナ）、通風装置（ベンチレーター）によって内部空気が常に換気されるベンチレーターコンテナ（通風コンテナ）等である。なお、負荷３ｏとしては、余剰電力を充電する蓄電池であってもよい。
【００５４】
このようなコンテナｂ１では、切替器３ｎによる切替処理によって第１の直流バス３ｆから負荷３ｏに電力が供給される場合には、第１の受電回路３ｂあるいは太陽電池パネル３ｅから出力される直流電力のうち、負荷３ｏが消費する電力を差し引いたものが第１の給電回路３ｄに供給され、切替器３ｎによる切替処理によって第１の直流バス３ｆから負荷３ｏに電力が供給されない場合には、第１の受電回路３ｂあるいは太陽電池パネル３ｅから出力される直流電力のうち全部が第１の給電回路３ｄに供給される。すなわち、コンテナｂ１では、第１の受電回路３ｂあるいは太陽電池パネル３ｅから出力される直流電力の一部あるいは全部が第１の給電回路３ｄに供給される。
【００５５】
また、コンテナｂ１では、切替器３ｎによる切替処理によって第２の直流バス３ｋから負荷３ｏに電力が供給される場合には、第２の受電回路３ｈから出力される直流電力のうち、負荷３ｏが消費する電力を差し引いたものが第２の給電回路３ｊに供給され、切替器３ｎによる切替処理によって第２の直流バス３ｋから負荷３ｏに電力が供給されない場合には、第２の受電回路３ｈから出力される直流電力のうち全部が第２の給電回路３ｊに供給される。すなわち、コンテナｂ１では、第２の受電回路３ｈから出力される直流電力の一部あるいは全部が第２の給電回路３ｊに供給される。
【００５６】
このように構成された各コンテナｂ１〜ｂｎは、図３に示すように、正面の短辺を含む上面と底面とが互いに隣接するように積み重ねられて載置されており、よって互いに隣り合うコンテナ同士の第１の受電コイル３ａと第１の給電コイル３ｃとが対向すると共に、第２の受電コイル３ｇと第２の給電コイル３ｉとが対向する状態となる。すなわち、互いに隣り合うコンテナ同士の第１の受電コイル３ａと第１の給電コイル３ｃ、第２の受電コイル３ｇと第２の給電コイル３ｉは電磁誘導によって互いに電力を受給電する。
【００５７】
一方、地上給電装置ｓ２は、図３に示すように、整流回路４ａ、給電回路４ｂ及び給電コイル４ｃを備える。給電コイル４ｃは、コンテナｂｎの第２の受電コイル３ｇに対向する位置に設けられている。つまり、地上給電装置ｓ２は、コンテナｂｎの下側に位置している。地上給電装置ｓ２は、このように位置設定された給電コイル４ｃを用いることにより、コンテナｂｎの第２の受電コイル３ｇに対して非接触で電力を供給する。なお、整流回路４ａ、給電回路４ｂ及び給電コイル４ｃの詳細については、第１実施形態における地上給電装置ｓ１の整流回路２ａ、給電回路２ｂ及び給電コイル２ｃと同様の機能を有するので、説明を省略する。
【００５８】
次に、このように構成された本給電システムＢの動作について詳しく説明する。
本給電システムＢでは、図３に示すような各コンテナｂ１〜ｂｎの配置状態において、地上給電装置ｓ２から当該地上給電装置ｓ２に隣接するコンテナｂｎへ給電が開始される。すなわち、地上給電装置ｓ２は、整流回路４ａが外部電源から得た交流電力を直流電力に変換して給電回路４ｂに出力し、当該給電回路４ｂが直流電力を交流電力に変換して給電コイル４ｃに供給する。この結果、地上給電装置ｓ２における給電コイル４ｃと、コンテナｂｎの第２の受電コイル３ｇとが電磁気的に結合して電力の非接触伝送が行われる。
【００５９】
これに対して、コンテナｂｎは、第２の受電コイル３ｇが地上給電装置ｓ２から受電した交流電力を第２の受電回路３ｈに出力して直流電力に変換し、第２の直流バス３ｋを介して第２の給電回路３ｊ及び切替器３ｎに出力する。また、第２の給電回路３ｊは、第２の直流バス３ｋを介して入力された直流電力を交流電力に変換して第２の給電コイル３ｉに供給する。この結果、コンテナｂｎの第２の給電コイル３ｉは、コンテナｂｎ−１の第２の受電コイル３ｇと電磁気的に結合してコンテナｂｎ−１の第２の受電コイル３ｇに交流電力を非接触給電する。
【００６０】
そして、他のコンテナｂ２〜ｂｎ−１も上記コンテナｂｎと同様に作動して自らの上側に位置するコンテナｂ１〜ｂｎ−２に交流電力を非接触給電する。すなわち、図３に示すように、地上給電装置ｓ２から複数のコンテナｂ１〜ｂｎに電力が一方向（下から上方向）に順次供給される。
【００６１】
さらに、コンテナｂ１〜ｂｎの頂点に位置するコンテナｂ１においては、その上面に設けられた太陽電池パネル３ｅが太陽光エネルギーを利用して発電すると共に発電された直流電力を第１の直流バス３ｆを介して第１の給電回路３ｄ及び切替器３ｎに出力する。また、第１の給電回路３ｄは、第１の直流バス３ｆを介して入力された直流電力を交流電力に変換して第１の給電コイル３ｃに供給する。この結果、コンテナｂ１の第１の給電コイル３ｃは、コンテナｂ２の第１の受電コイル３ａと電磁気的に結合してコンテナｂ２の第１の受電コイル３ａに交流電力を非接触給電する。
【００６２】
そして、コンテナｂ２は、第１の受電コイル３ａがコンテナｂ１から受電した交流電力を第１の受電回路３ｂに出力して直流電力に変換し、第１の直流バス３ｆを介して第１の給電回路３ｄ及び切替器３ｎに出力する。また、第１の給電回路３ｄは、第１の直流バス３ｆを介して入力された直流電力を交流電力に変換して第１の給電コイル３ｃに供給する。この結果、コンテナｂ２の第１の給電コイル３ｃは、コンテナｂ３の第１の受電コイル３ａと電磁気的に結合してコンテナｂ３の第１の受電コイル３ａに交流電力を非接触給電する。
【００６３】
そして、他のコンテナｂ３〜ｂｎ−１も上記コンテナｂ２と同様に作動して自らの下側に位置するコンテナｂ４〜ｂｎに交流電力を非接触給電する。すなわち、図３に示すように、コンテナｂ１の太陽電池パネル３ｅから複数のコンテナｂ２〜ｂｎに電力が一方向（上から下方向）に順次供給される。
【００６４】
一方、各コンテナｂ１〜ｂｎにおける切替器３ｎは、第１の電圧センサ３ｌ及び第２の電圧センサ３ｍから入力される電圧信号に基づいて負荷３ｏに対する交流電力の供給路を切り替える。つまり、切替器３ｎは、第１の受電コイル３ａまたは太陽電池パネル３ｅから第１の直流バス３ｆを介して供給される直流電力の電圧が、負荷３ｏの駆動または充電に必要な電圧より高い場合には、第１の直流バス３ｆから負荷３ｏに直流電力が流れるように切り替える。
【００６５】
また、切替器３ｎは、第２の受電コイル３ｇから第２の直流バス３ｋを介して供給された直流電力の電圧が、負荷３ｏの駆動または充電に必要な電圧より高い場合には、第２の直流バス３ｋから負荷３ｏに直流電力が流れるように切り替える。この際、切替器３ｎは、第１の直流バス３ｆ及び第２の直流バス３ｋいずれの直流電力の電圧も負荷３ｏの駆動または充電に必要な電圧より高い場合には、第１の直流バス３ｆを選択して負荷３ｏ（内部消費）に供給するようにする。また、切替器３ｎは、いずれの直流電力の電圧も負荷３ｏの駆動または充電に必要な電圧より低い場合には、第１の直流バス３ｆ及び第２の直流バス３ｋのいずれからも負荷３ｏに対して直流電力を供給しないようにする。
【００６６】
このような本第２実施形態によれば、複数のコンテナｂ１〜ｂｎが第２の受電コイル３ｇと第２の給電コイル３ｉとにより相互に電磁気的に結合されているので、地上給電装置ｓ２により末端のコンテナｂｎの第２の受電コイル３ｇに交流電力を供給することによって複数のコンテナｂ１〜ｂｎ全てに交流電力を供給することが可能である。したがって、本第２実施形態によれば、複数のコンテナｂ１〜ｂｎの各々に個別に地上給電装置ｓ２を設置する必要がなく、よって地上給電装置を設置するスペースを従来よりも省スペース化しつつ各コンテナｂ１〜ｂｎに給電することが可能である。
【００６７】
さらに、本第２実施形態によれば、第１の受電コイル３ａと第１の給電コイル３ｃとにより相互に電磁気的に結合される複数のコンテナｂ１〜ｂｎにおいて、コンテナｂ１における太陽電池パネル３ｅにより発電された電力を複数のコンテナｂ１〜ｂｎ全てに供給することが可能である。
【００６８】
〔第３実施形態〕
次に、第３実施形態について図６を参照して説明する。
第３実施形態に係る給電システムＣは、コンテナｃ１〜ｃｎ各々の構成が上記第１実施形態と相違する。したがって、第３実施形態において第１実施形態と同一の機能構成要素を有する地上給電装置ｓ１については同一符号を付し、説明を省略する。給電システムＣは、図６に示すように、複数のコンテナｃ１〜ｃｎ（電力受容体）及び地上給電装置ｓ１を備えている。
【００６９】
コンテナｃ１〜ｃｎは、上記第１実施形態と同様に、可搬自在な箱型形状の金属製収納容器であり、内部空間（収納スペース）に各種貨物を収納する。このような各コンテナｃ１〜ｃｎは、図６に示すように、上方から見た場合の形状が長方形であり、長辺を含む左側面と右側面とが互いに隣接するようにコンテナヤードやコンテナ船上に載置される。このような各コンテナｃ１〜ｃｎは、全く同じ構成を有するので、以下では代表としてコンテナｃ１の構成を説明する。
【００７０】
コンテナｃ１は、上記収納スペースに加えて、第１の受電給電コイル５ａ、第１の受電給電回路５ｂ、第２の受電給電コイル５ｃ、第２の受電給電回路５ｄ、直流バス５ｅ及び負荷５ｆを備える。なお、上記構成要素のうち第１の受電給電コイル５ａ及び第１の受電給電回路５ｂと、第２の受電給電コイル５ｃ及び第２の受電給電回路５ｄとは、それぞれ本実施形態における受給電手段を構成する。
【００７１】
第１の受電給電コイル５ａは、コンテナｃ１の左側面に設けられたヘリカルコイルであり、両端が第１の受電給電回路５ｂの入出力端に接続されている。コンテナｃ１の左側面において第１の受電給電コイル５ａが設けられる部位は、金属ではなく外部磁界が第１の受電給電コイル５ａに電磁誘導を発生させ得ると共に第１の受電給電コイル５ａが発生する磁界を外部に漏らし得る磁界透過性材料によって形成されている。この第１の受電給電コイル５ａは、コンテナｃ１に外部磁界が作用すると電磁誘導によって起電力を発生し、当該起電力を第１の受電給電回路５ｂに出力し、また第１の受電給電回路５ｂから供給された交流電力に基づいて図６において左方向に隣接するコンテナの第２の受電給電コイル５ｃに非接触給電を行う。
【００７２】
第１の受電給電回路５ｂは、上記第１の受電給電コイル５ａと受電側及び給電側共振回路を構成する共振用コンデンサを備え、第１の受電給電コイル５ａから供給された交流電力を直流電力に変換する一種の整流回路であると共に、直流バス５ｅを介して後述する第２の受電給電回路５ｄから供給された直流電力を交流電力に変換して第１の受電給電コイル５ａに供給する一種のインバータである。つまり、上記第１の受電給電コイル５ａ及び第１の受電給電回路５ｂは、受電と給電とを切換えて行うことができる。この第１の受電給電回路５ｂは、受電回路として動作しているときには、直流バス５ｅを介して上記直流電力を第２の受電給電回路５ｄ及び負荷５ｆに供給し、給電回路として動作しているときには、直流バス５ｅを介して後述する第２の受電給電回路５ｄから供給された直流電力を交流電力に変換して第１の受電給電コイル５ａに供給する。
【００７３】
なお、受電と給電とを切換えて行うことのできる非接触給電の受電給電回路として、たとえば、特開平８−１９９８５、図４に例示されている方式がある。
【００７４】
第２の受電給電コイル５ｃは、コンテナｃ１の右側面に設けられたヘリカルコイルであり、両端が第２の受電給電回路５ｄの入出力端に接続されている。コンテナｃ１の右側面において第２の受電給電コイル５ｃが設けられる部位は、金属ではなく外部磁界が第２の受電給電コイル５ｃに電磁誘導を発生させ得ると共に第２の受電給電コイル５ｃが発生する磁界を外部に漏らし得る磁界透過性材料によって形成されている。この第２の受電給電コイル５ｃは、コンテナｃ１に外部磁界が作用すると電磁誘導によって起電力を発生し、当該起電力を第２の受電給電回路５ｄに出力し、また第２の受電給電回路５ｄから供給された交流電力に基づいて図６において右方向に隣接するコンテナの第１の受電給電コイル５ａに非接触給電を行う。
【００７５】
第２の受電給電回路５ｄは、上記第２の受電給電コイル５ｃと受電側及び給電側共振回路を構成する共振用コンデンサを備え、第２の受電給電コイル５ｃから供給された交流電力を直流電力に変換する一種の整流回路であると共に、直流バス５ｅを介して第１の受電給電回路５ｂから供給された直流電力を交流電力に変換して第２の受電給電コイル５ｃに供給する一種のインバータである。つまり、上記第２の受電給電コイル５ｃ及び第２の受電給電回路５ｄは、受電と給電とを切換えて行うことができる。この第２の受電給電回路５ｄは、受電回路として動作しているときには、直流バス５ｅを介して上記直流電力を第１の受電給電回路５ｂ及び負荷５ｆに供給し、給電回路として動作しているときには、直流バス５ｅを介して第１の受電給電回路５ｂから供給された直流電力を交流電力に変換して第２の受電給電コイル５ｃに供給する。なお、第１の受電給電コイル５ａと第１の受電給電回路５ｂとからなる共振回路と、第２の受電給電コイル５ｃと第２の受電給電回路５ｄとからなる共振回路とは同一周波数に設定されている。
【００７６】
ここで、第１の受電給電コイル５ａと第２の受電給電コイル５ｃは、第１実施形態における受電コイル１ａ及び給電コイル１ｃと同様、左側面あるいは右側面において、上面から見て線対称（図１において左右対称）な位置に設けられている。また、コンテナｃ１の底面（上面）からの第１の受電給電コイル５ａの高さは、コンテナｃ１の底面（上面）からの第２の受電給電コイル５ｃの高さと同一である。
【００７７】
直流バス５ｅは、第１の受電給電回路５ｂから出力された直流電力を第２の受電給電回路５ｄ及び負荷５ｆに伝送すると共に、第２の受電給電回路５ｄから出力された直流電力を第１の受電給電回路５ｂ及び負荷５ｆに伝送する一対の電力線である。
負荷５ｆは、コンテナｃ１の種類（補助機能）にも依るが、例えば冷凍装置、通風装置、保温装置または冷房装置であり、第１の受電給電回路５ｂ及び第２の受電給電回路５ｄから供給される直流電力によって駆動する。すなわち、コンテナｃ１は、冷凍装置によって生鮮食品及び冷凍食品等を冷凍した状態で収納するリーファーコンテナ（冷凍コンテナ）、通風装置（ベンチレーター）によって内部空気が常に換気されるベンチレーターコンテナ（通風コンテナ）等である。なお、負荷５ｆとしては、余剰電力を充電する蓄電池であってもよい。
【００７８】
このようなコンテナｃ１では、第１の受電給電回路５ｂ及び第２の受電給電回路５ｄから出力される直流電力のうち、負荷５ｆが消費する電力を差し引いたものが第１の受電給電回路５ｂあるいは第２の受電給電回路５ｄに供給される。したがって、負荷５ｆが機能停止している状態では電力を消費しないので、第１の受電給電回路５ｂ及び第２の受電給電回路５ｄから出力される直流電力の全てが第１の受電給電回路５ｂあるいは第２の受電給電回路５ｄに供給される。すなわち、コンテナｃ１では、負荷５ｆの状態に応じて、第１の受電給電回路５ｂあるいは第２の受電給電回路５ｄから出力される直流電力の一部あるいは全部が第１の受電給電回路５ｂあるいは第２の受電給電回路５ｄに供給される。
【００７９】
このように構成された各コンテナｃ１〜ｃｎは、図６に示すように、長辺を含む左側面と右側面とが互いに隣接するように載置されており、よって互いに隣り合うコンテナ同士の第１の受電給電コイル５ａと第２の受電給電コイル５ｃとが互いに対向する状態となる。すなわち、互いに隣り合うコンテナ同士の第１の受電給電コイル５ａと第２の受電給電コイル５ｃとは電磁誘導によって互いに電力を受給電する。
【００８０】
次に、このように構成された本給電システムＣの動作について詳しく説明する。
本給電システムＣでは、図６（ａ）に示すような各コンテナｃ１〜ｃｎの配置状態において、地上給電装置ｓ１から当該地上給電装置ｓ１に隣接するコンテナｃ１へ給電が開始される。すなわち、地上給電装置ｓ１は、整流回路２ａが外部電源から得た交流電力を直流電力に変換して給電回路２ｂに出力し、当該給電回路２ｂが直流電力を交流電力に変換して給電コイル２ｃに供給する。この結果、地上給電装置ｓ１における給電コイル２ｃと、コンテナｃ１の第１の受電給電コイル５ａとが電磁気的に結合して電力の非接触伝送が行われる。
【００８１】
これに対して、コンテナｃ１は、第１の受電給電コイル５ａが地上給電装置ｓ１から受電した交流電力を第１の受電給電回路５ｂに出力して直流電力に変換し、直流バス５ｅを介して第２の受電給電回路５ｄ及び負荷５ｆに出力する。また、第２の受電給電回路５ｄは、直流バス５ｅを介して入力された直流電力を交流電力に変換して第２の受電給電コイル５ｃに供給する。この結果、コンテナｃ１の第２の受電給電コイル５ｃは、コンテナｃ２の第１の受電給電コイル５ａと電磁気的に結合してコンテナｃ２の第１の受電給電コイル５ａに交流電力を非接触給電する。
【００８２】
そして、他のコンテナｃ２〜ｃｎ−１も上記コンテナｃ１と同様に作動して自らの右側に位置するコンテナｃ３〜ｃｎに交流電力を非接触給電する。すなわち、図６（ａ）に示すように、地上給電装置ｓ１から複数のコンテナｃ１〜ｃｎに電力が一方向（左から右方向）に順次供給される。
【００８３】
一方、本給電システムＣでは、図６（ｂ）に示すような各コンテナｃ１〜ｃｎの配置状態において、地上給電装置ｓ１から当該地上給電装置ｓ１に隣接するコンテナｃｎへ給電が開始される。すなわち、地上給電装置ｓ１では、給電コイル２ｃが、コンテナｃｎの第２の受電給電コイル５ｃに電磁気的に結合して電力の非接触伝送が行われる。
【００８４】
これに対して、コンテナｃｎは、第２の受電給電コイル５ｃが地上給電装置ｓ１から受電した交流電力を第２の受電給電回路５ｄに出力して直流電力に変換し、直流バス５ｅを介して第１の受電給電回路５ｂ及び負荷５ｆに出力する。また、第１の受電給電回路５ｂは、直流バス５ｅを介して入力された直流電力を交流電力に変換して第１の受電給電コイル５ａに供給する。この結果、コンテナｃｎの第１の受電給電コイル５ａは、コンテナｃｎ−１の第２の受電給電コイル５ｃと電磁気的に結合してコンテナｃｎ−１の第２の受電給電コイル５ｃに交流電力を非接触給電する。
【００８５】
そして、他のコンテナｃ２〜ｃｎ−１も上記コンテナｃｎと同様に作動して自らの左側に位置するコンテナｃ１〜ｃｎ−２に交流電力を非接触給電する。すなわち、図６（ｂ）に示すように、地上給電装置ｓ１から複数のコンテナｃ１〜ｃｎに電力が一方向（右から左方向）に順次供給される。
【００８６】
このような本第３実施形態によれば、複数のコンテナｃ１〜ｃｎが第１の受電給電コイル５ａと第２の受電給電コイル５ｃとにより相互かつ双方向に電磁気的に結合されているので、地上給電装置ｓ１により末端のコンテナｃ１の第１の受電給電コイル５ａまたはコンテナｃｎの第２の受電給電コイル５ｃに交流電力を供給することによって複数のコンテナｃ１〜ｃｎ全てに交流電力を供給することが可能である。したがって、本第３実施形態によれば、複数のコンテナｃ１〜ｃｎの各々に個別に地上給電装置ｓ１を設置する必要がなく、よって地上給電装置を設置するスペースを従来よりも省スペース化しつつ各コンテナｃ１〜ｃｎに給電することが可能である。
【００８７】
以上、本発明の実施形態について説明したが、本発明は上記実施形態に限定されることなく、例えば以下のような変形が考えられる。
（１）上記実施形態には、地上給電装置からコンテナへ、またはコンテナからコンテナへ非接触給電したが、本発明はこれに限定されない。例えば、非接触給電ではなく、物理的に直接接触した状態で、地上給電装置からコンテナへ、またはコンテナからコンテナへ給電するようにしてもよい。また、上記実施形態では、非接触給電する方法として磁界共鳴方式を採用したが、電磁誘導方式を採用するようにしてもよい。
【００８８】
（２）上記実施形態において、受電コイル、給電コイル及び受電給電コイルはヘリカルコイルとしたが、非接触給電が可能であればコイルの方式は問わない。また、非接触給電が可能であればコイルの形状も円形に限らない。
【００８９】
（３）上記第２実施形態において、太陽電池パネル３ｅをコンテナｂ１〜ｂｎの上面に設けたが、本発明はこれに限定されない。例えば、上面以外にも正面、両側面及び背面に太陽電池パネル３ｅを設けるようにしてもよい。これにより、頂点のコンテナｂ１だけでなく、それ以外のコンテナｂ２〜ｂｎにおいても、発電が可能になる。
【００９０】
（４）第１実施形態及び第３実施形態では、コンテナａ１〜ａｎ（ｃ１〜ｃｎ）が左右水平方向に並べられた状態で、また第２実施形態では、コンテナｂ１〜ｂｎが上下方向に積み重ねられた状態で、電力を供給したが本発明はこれに限定されない。例えば、コンテナにおける受電コイル及び給電コイルの配置やその数を変えることによって、コンテナが左右水平方向及び上下方向に積み重ねられた状態において、末端のコンテナに給電することで複数のコンテナ全てに給電できるようしてもよい。また、左右及び上下方向だけでなく、前後水平方向にコンテナを並べて、電力を供給できるように、受電コイル及び給電コイルの配置やその数を変えてもよい。
【００９１】
（５）上記実施形態では、電力受容体である複数のコンテナ全てに電力を供給しているが、本発明はこれに限定されない。例えば、受電手段や給電手段を備えた複数のバッテリを電磁気的に結合させ、末端のバッテリに給電することにより複数のバッテリ全てに給電するようにしてもよい。つまり、本発明では、電力受容体がコンテナに限定されない。また、電力受容体の形状は、上記コンテナのような箱形形状に限定されず、例えば、円筒形状のようなものであってもよい。
【００９２】
（６）上記第３実施形態では、第１の受電給電コイル５ａ及び第２の受電給電コイル５ｃが左側面あるいは右側面に設けられているが、第２実施形態における第１の受電コイル３ａ、第１の給電コイル３ｃ、第２の受電コイル３ｇ及び第２の給電コイル３ｉの代わりに、コンテナｂ１〜ｂｎに設けられてもよい。つまり、本発明において、受電給電コイルは左側面あるいは右側面に限定されるものではない。
【００９３】
（７）上記実施形態では、コンテナａ１〜ａｎ、コンテナｂ１〜ｂｎ、コンテナｃ１〜ｃｎは金属製であり、受電コイル、給電コイルないし受電給電コイルを設ける部位のみ磁界透過性材料で形成するものとしたが、コンテナの用途に適した強度・耐久性を有する磁界透過性材料をコンテナ全体の材料として使用してもよい。もしくは、受電コイル、給電コイルないし受電給電コイルを設ける部位を含む、より広い部位の材料として磁界透過性材料を使用してもよい。
【００９４】
（８）上記実施形態において、コンテナａ１〜ａｎ、コンテナｂ１〜ｂｎないしコンテナｃ１〜ｃｎはそれぞれ隣接するものとしたが、非接触給電を使用する場合、隙間なく隣接させる必要はない。非接触給電を行う、対向した受電コイルと給電コイルのペア（第３実施形態では、対向した受電給電コイルと受電給電コイルのペア）間の距離が非接触給電可能な距離（非接触給電の方式によるが、たとえば数ｃｍないし数十ｃｍ）以内であれば、コンテナ間に隙間があってもよい。
【符号の説明】
【００９５】
Ａ、Ｂ、Ｃ…給電システム、ａ１〜ａｎ、ｂ１〜ｂｎ、ｃ１〜ｃｎ…コンテナ（電力受容体）、ｓ１、ｓ２…地上給電装置、１ａ…受電コイル、１ｂ…受電回路、１ｃ…給電コイル、１ｄ…給電回路、１ｅ…直流バス、１ｆ…負荷、２ａ…整流回路、２ｂ…給電回路、２ｃ…給電コイル、３ａ…第１の受電コイル、３ｂ…第１の受電回路、３ｃ…第１の給電コイル、３ｄ…第１の給電回路、３ｅ…太陽電池パネル（発電手段）、３ｆ…第１の直流バス、３ｇ…第２の受電コイル、３ｈ…第２の受電回路、３ｉ…第２の給電コイル、３ｊ…第２の給電回路、３ｋ…第２の直流バス、３ｌ…第１の電圧センサ、３ｍ…第２の電圧センサ、３ｎ…切替器、３ｏ…負荷、４ａ…整流回路、４ｂ…給電回路、４ｃ…給電コイル、５ａ…第１の受電給電コイル、５ｂ…第１の受電給電回路、５ｃ…第２の受電給電コイル、５ｄ…第２の受電給電回路、５ｅ…直流バス、５ｆ…負荷
【図１】
0005817500.tif 000002
【図２】
0005817500.tif 000003
【図３】
0005817500.tif 000004
【図４】
0005817500.tif 000005
【図５】
0005817500.tif 000006
【図６】
0005817500.tif 000007